(57)【特許請求の範囲】
【請求項１】
吸上げパイプ付きのシリンダを、該シリンダ上部は容器体口頸部へ装着させて容器体内へ垂下し、又該シリンダ内へ、ノズル付き作動部材を上方付勢させて嵌合させた縦形ポンプ付き容器において、
上記容器体口頸部２に上端部を固着されて容器体内に垂下する吊下げ筒21を設けて、
該吊下げ筒下端から上記吸上げパイプ６を垂下させておき、
容器体１内へ垂下する上記シリンダ部分を、吊下げ筒21内へ挿入させると共に、
シリンダ下端から垂下する吸上げパイプ嵌合筒５を吸上げパイプ上部へ水密にかつ着脱自在に嵌合させ、
さらに上記吊下げ筒21に複数の液体注入用窓孔27を穿設するとともに、この窓孔上方の吊下げ筒部分の内面に突条26を周設して、該突条をシリンダ３の胴部外面へ接する液体掻き落とし部とした
ことを特徴とする縦形ポンプ付き容器。
【請求項２】
上記吊下げ筒21上部を上向き段部24を介して大径部25として該大径部を容器体口頸部２の内面へ水密に嵌合させると共に、
該大径部上端に付設した外向きフランジ22を容器体口頸部２の上端面へ係合させて設け、
上記上向き段部24の内面に突条26を周設するとともに、上向き段部24下方の筒壁部分に複数の液体注出用窓孔27を縦設したことを特徴とする、請求項１記載の縦形ポンプ付き容器。
【請求項３】
上記上向き段部24に通気孔23付きを穿設したことを特徴とする、請求項２記載の縦形ポンプ付き容器。
【発明の詳細な説明】
【０００１】
【発明の属する技術分野】
本発明は縦形ポンプ付き容器に関する。
【０００２】
【従来の技術】
例えば特開平11-47649号が示すような縦形ポンプ付き容器は広く一般に用いられている。この種の容器は通常吸上げパイプ付きのシリンダを、該シリンダ上部を容器体口頸部へ装着させて容器体内へ垂下し、又該シリンダ内へ、ノズル付き作動部材を上方付勢させて嵌合させ、該作動部材の上下動で上記容器体内液体を吸上げパイプおよび吸込み弁を介してシリンダ内へ吸上げ、該シリンダ内液体を吐出弁を介してノズルから噴出可能に設けている。
【０００３】
【発明が解決しようとする課題】
上記従来の容器は、容器体内への液体補充の際、上記吸上げパイプ付きシリンダと作動部材とからなる縦形ポンプを容器体から外し、容器体口頸部から液体補充を行った後に、再度上記ポンプを容器体へ装着させるよう設けているが、このようにするとシリンダの下部外面、特に吸上げパイプは容器体内液体により濡れているため、そのポンプ取外し時に吸上げパイプ外面等に付着する液体が他物に触れて、周辺を汚すことがあり、そのため取り外したポンプの置き場所に困ることが多い。又該取り外し時に吸上げパイプ外面へ埃等を付着させたまま容器体内へ戻すことで、容器体内液体が汚れるおそれもある。
【０００４】
本発明は、吸上げパイプ付きの吊下げ筒を設けて、該筒は容器体内へ装着させたままとし、容器体へのポンプ着脱時にはシリンダ下端から垂下する吸上げパイプ嵌合筒が上記吸上げパイプの上部へ着脱するよう設けて、上記液体補充の際に吸上げパイプは容器体内から抜き出ししなくてもよいように設けたものである。
【０００５】
【課題を解決するための手段】
第１の手段として、吸上げパイプ付きのシリンダを、該シリンダ上部は容器体口頸部へ装着させて容器体内へ垂下し、又該シリンダ内へ、ノズル付き作動部材を上方付勢させて嵌合させた縦形ポンプ付き容器において、
上記容器体口頸部２に上端部を固着されて容器体内に垂下する吊下げ筒21を設けて、
該吊下げ筒下端から上記吸上げパイプ６を垂下させておき、
容器体１内へ垂下する上記シリンダ部分を、吊下げ筒21内へ挿入させると共に、
シリンダ下端から垂下する吸上げパイプ嵌合筒５を吸上げパイプ上部へ水密にかつ着脱自在に嵌合させ、
さらに上記吊下げ筒21に複数の液体注入用窓孔27を穿設するとともに、この窓孔上方の吊下げ筒部分の内面に突条26を周設して、該突条をシリンダ３の胴部外面へ接する液体掻き落とし部とした。
【０００６】
第２の手段として、上記第１の手段を具備すると共に、上記吊下げ筒21上部を上向き段部24を介して大径部25として該大径部を容器体口頸部２の内面へ水密に嵌合させると共に、
該大径部上端に付設した外向きフランジ22を容器体口頸部２の上端面へ係合させて設け、
上記上向き段部24の内面に突条26を周設するとともに、上向き段部24下方の筒壁部分に複数の液体注出用窓孔27を縦設した。
【０００７】
第３の手段として、上記第１又は第２の手段を有すると共に、上記上向き段部24に通気孔23付きを穿設した。
【０００８】
【発明の実施の形態】
以下図面について説明する。説明の便宜上、後述の吊下げ筒は図示しないものと仮定して、まず公知の構造について簡単に説明すると、１は胴部上端から肩部を介して口頸部２を起立する容器体で、該容器体には縦形ポンプが装着させてある。
【０００９】
該縦形ポンプは、シリンダと該シリンダ内から起立する、ノズル付きの作動部材とからなる。
【００１０】
シリンダ３は、上部外面に付設した外向きフランジ４を容器体口頸部２の上端面へ係合させて容器体内に垂下し、そのシリンダ下端から吸上げパイプ嵌合筒５を垂下し、該嵌合筒内へ吸上げパイプ６の上部を嵌着させている。又シリンダ３の下端部内へは吸込み弁７付きの筒状部材８が嵌合させてある。
【００１１】
上記外向きフランジ４は、容器体口頸部外面へ螺合させた装着筒９上端の内向きフランジ10で、口頸部上面との間で挾持され、又外向きフランジ上方のシリンダ部分には、作動部材用の抜止め筒11が嵌合させてある。
【００１２】
作動部材12は、ステム13下端を筒状ピストン14として該筒状ピストンを上記シリンダ内へ上方付勢させて嵌合させ、ステム上部に吐出弁15を設け、又該ステム上部を、ノズル16付き押下げヘッド17下面から垂下する筒部18内へ嵌合させている。尚図示例にあっては、付勢に抗して作動部材を押下げ、押下げヘッド17の外周壁19を、上記抜止め筒11外面へ螺合させており、該螺合を外すと、作動部材12上部がシリンダ上方へ起立して、該作動部材を上下動させることで容器体内液体が吸上げパイプ６および吸込み弁を介してシリンダ内へ吸上げられ、又該シリンダ内へ吸込みされた液体は、吐出弁15を介してノズル16から噴出されるよう設けている。
【００１３】
本発明にあっては、予め容器体内へ吸上げパイプ６付きの吊下げ筒21を装着させておき、その吊下げ筒21内へ、吸上げパイプを有しないシリンダ３を嵌合させ、該シリンダ下端から垂下する吸上げパイプ嵌合筒５を上記吸上げパイプ６上部へ嵌合させるよう設けた。
【００１４】
図２が示すように吊下げ筒21はその上端に外向きフランジ22を有し、その外向きフランジを容器体口頸部２の上端面上へ載置させている。又その吊下げ筒上部は通気孔23付きのテーパ状上向き段部24を介して大径部25としており、該大径部を口頸部２内面へ水密にかつ固嵌めさせている。図示のように、口頸部内面と大径部外面には凹凸の係合条を設けてそれ等両条を嵌合させるとよい。又吊下げ筒21下端は下内方へ弯曲させて該弯曲部内周縁を吸上げパイプ６の上部外面へ連続させている。よって吸上げパイプ６上部は吊下げ筒21の下部内へ起立している。但し吸上げパイプは吊下げ筒下端から垂下させてもよく、この場合は吸上げパイプの上部内へ、吸上げパイプ嵌合筒を嵌合させることとなる。
【００１５】
又上記上向き段部24の内周には突条26を周設させており、該突条内径は既述シリンダ３外径とほぼ同形としている。図示例にあっては上記上向き段部24下方の筒壁部分に複数の液体注入用窓孔27を縦設している。
【００１６】
上記吸上げパイプ付き吊下げ筒21は図２が示すように予め容器体内へ垂下させて抜出ししないよう設けておき、その吊下げ筒内へ既述作動部材付きのシリンダ３を図１のように挿入させ、吸上げパイプ６上部へ吸上げパイプ嵌合筒５を水密に嵌合させる。シリンダの外向きフランジ４は、吊下げ筒21の外向きフランジ22上へパッキングを介在させる等して重合せ、装着筒９の締付けにより上記両外向きフランジ４、22を容器体口頸部の上端面と、装着筒の内向きフランジ10とで挾持させる。
【００１７】
容器体内への液体補充の際は、装着筒９を螺脱し、作動部材12と共にシリンダ３を吊下げ筒21内から抜き出す。該抜き出し時、吸上げパイプ６は吊下げ筒21と一体に形成してあるため、抜き出しされた状態でシリンダ３は吸上げパイプを有しない。又その抜き出し時、シリンダ外径は上向き段部24内周の突条25内径とほぼ同形としてあるためシリンダ３外面に付着している液体は上記突条25により掻き落とされることなる。
【００１８】
上記のようにシリンダ３と作動部材12とからなる縦形ポンプを外すと、図２が示すように容器体１と吸上げパイプ付きの吊下げ筒21だけが残るから、吊下げ筒21の大径部25から補充液体を容器体内へ注入する。注入液体は液体注入用窓孔27又は吸上げパイプ６を通って容器体１内へ入るから、適当量入れた後、作動部材12と共にシリンダ３を吊下げ筒21内に戻し、吸上げパイプ嵌合筒５内へ吸上げパイプ６上部を水密に嵌合させ、装着筒９を容器体外面へ締付けする。
【００１９】
【発明の効果】
本発明は既述構成とするもので、容器体内への液体補充のためにシリンダと作動部材とからなる縦形ポンプを外しても、吸上げパイプは吊下げ筒21と共に容器体内へ残ることとなり、よって従来のように吸上げパイプに付着する液体が、シリンダ取外し時に周辺を汚すことがなく、又取り外し時に汚れた吸上げパイプを容器体内に戻すことでの液体の汚れも防止できる。又通常上記容器は、容器メーカーから液体メーカーへ、容器体とポンプとを別々に送付し、容器体内への液体充填後にポンプを装着させるが、容器メーカーから送付の際、ポンプから吸上げパイプが垂下するため包装が嵩ばりコスト高となる欠点があったが、吸上げパイプを吊下げ筒から垂下し、該吊下げ筒は容器体と共に送付することで、ポンプには吸上げパイプを付設しなくてもよいこととなり、よって上記ポンプ包装が嵩ばることがなく、輸送コストを廉価とすることが出来る。
【００２０】
尚液体補充は通常、容器体内液体が殆ど無くなった後に行うから、吸上げパイプの下部に液体は付着しているものの、シリンダ外面に液体が付着していることは少ないが、何等かの理由でシリンダ外面に付着していても請求項１のように突条26を設けておくことで、その付着液体を掻き落とし出来る。
【００２１】
又請求項３のようにすることで、液体補充後に行う吊下げ筒21内へのシリンダ挿入による液面上昇で液面上方の容器体内空間が挾小化しても、通気孔23からの排気により上記空間が高圧化することがなく、該高圧化によりシリンダの嵌合が不完全となることがない。
【００２２】
請求項１のように吊下げ筒に液体注入用窓孔27を穿設することで、容器体内への補充液体注入を、吊下げ筒21の上端開口部および上記窓孔を介して行うことが出来、その注入を迅速に行うことが出来る。
【図面の簡単な説明】
【図１】  本発明容器の半断面図である。
【図２】  図１容器から縦形ポンプを外して示す断面図である。
【図３】  シリンダ挿入状態を示す拡大断面図である。
【符号の説明】
３…シリンダ                  ５…吸上げパイプ嵌合筒
６…吸上げパイプ              12…作動部材
21…吊下げ筒                  23…通気孔
24…上向き段部                25…大径部
26…突条                      27…窓孔
【図１】
0004030785.tif 000002
【図２】
0004030785.tif 000003
【図３】
0004030785.tif 000004